(57)【要約】【課題】本発明は伸縮調整機能付き衣服に係り、スキーウエア等に使用され、特にズボンでは脚部の裾丈を、上衣では袖丈等を伸縮調整するに際し、膝、肘等の関節部の伸縮性を向上させる伸縮機能付き衣服である。【解決手段】ズボン２の脚部または／および上衣の袖部３２，３２の少なくとも一側面に長手方向に沿って形成されたトンネル布部３Ａ，３Ｂ，３Ｃ，３Ｄと、該トンネル布部内を貫通して一端がトンネル布部内に固定される共に他端がトンネル布部から牽引可能に引き出された通し紐４とを備え、前記通し紐の引き出し長さを調整することにより脚部の裾丈または／および袖部の袖丈を伸縮調整し得るようにした伸縮機能付き衣服において、通し紐４は非伸縮性の紐状部４Ａと該紐状部に連設された伸縮性の伸縮紐部４Ｂとにより形成され、該伸縮紐部が膝部Ｎ１または／および肘部Ｎ３等の関節部Ｋに位置するように配置された。【選択図】　　　図１
2004143648.tif 000002
【特許請求の範囲】
【請求項１】
ズボンの脚部または／および上衣の袖部の少なくとも一側面に長手方向に沿って形成されたトンネル布部と、該トンネル布部内を貫通して一端がトンネル布部内に固定される共に他端がトンネル布部から牽引可能に引き出された通し紐とを備え、前記通し紐の引き出し長さを調整することにより脚部の裾丈または／および袖部の袖丈を伸縮調整し得るようにした伸縮機能付き衣服において、前記通し紐は非伸縮性の紐状部と該紐状部に連設された伸縮性の伸縮紐部とにより形成され、該伸縮紐部が膝部または／および肘部等の関節部に位置するように配置されていることを特徴とする伸縮機能付き衣服。
【請求項２】
前記衣服がズボンであり、伸縮紐部が膝等の関節部に位置していることを特徴とする請求項１に記載の伸縮機能付き衣服。
【請求項３】
前記衣服がズボンと上衣を連結したつなぎ服であり、上衣部は、前記通し紐の伸縮紐部が、肘または／および肩等の関節部に伸縮自在に配置されることを特徴とする請求項１または請求項２の何れかに記載の伸縮機能付き衣服。
【発明の詳細な説明】
【０００１】
【発明の属する技術分野】
本発明は伸縮機能付き衣服に係り、例えばスキーウエア、ゴルフウエア、ランニングウエア等のスポーツウエアに最適に使用され、特にズボンでは脚部の裾丈を、また上衣では袖部の袖丈を伸縮調整するに際し関節部の伸縮性を向上させることができる伸縮機能付き衣服に関する。
【０００２】
【従来の技術】
従来、例えばスキーウエアとして、ズボンや、ズボンのウエスト部の前面および後面にサスペンダーの前端および後端を取り付けたサロペットズボンがある。また、スキーは寒冷な戸外にて行われるために、防風性や保温性が要求されることから、上衣部がズボンに連続して設けられたいわゆるつなぎ服形式のスキーウェアが好まれている。
しかも、これらのスキーウェアは、被着者の装用性と運動性の向上をはかるために、該スキーウェアの内面と内装ウェアとの間に余裕の間隙を保有する程度に多少大き目に形成されたものを選択して装用することがあった。
【０００３】
ところで、ズボンやサロペットズボンにおいては、脚部の裾丈を調整するために、またズボンに上衣部を連続して設けたつなぎ服形式のスキーウェアにおいては、上衣部の袖丈を伸縮調整するようにしたウェアを我々は既に提案し、その製品は好評を博している。
すなわち、スポーツウエアの長さを伸縮調整するための伸縮調整手段として、ズボンまたはサロペットズボンでは、左右の脚部に沿って膝近くの少なくとも１個所とウエスト部の周囲との長手方向に連続したトンネル布部を設け、また上衣単独またはつなぎ衣服の上衣部では、左右の袖部に長手方向に沿ってトンネル布部を設け、このトンネル布部内に一端が該トンネル布部内に固定されるように通し紐を貫通し、該通し紐の他端をトンネル布部の上方部、例えば後頭部付近から外部に牽引可能に露出させている。そして、これらの通し紐を牽引操作することにより、ズボン等の脚部の長さを伸縮調整したり、また、上衣部等の袖丈を伸縮調整するものである（例えば、特許文献１参照。）。
【０００４】
また、スカートの前身頃と後身頃とのウエスト部に設けた通し穴内に非伸縮性の紐またはベルトと伸縮性を有するゴム紐とよりなる通し紐を挿通することにより被着者のウエスト部のサイズに合わせてゴム紐を伸縮することによりウエスト部における身幅方向の長さを調整するものがある（例えば、特許文献２参照。）。
【０００５】
【特許文献１】
実用新案登録第３０４１０１９号（第１−１７頁、図１−図２３）
【特許文献２】
実開昭６０−４９１０９号（第１−７頁、図１−図３）
【０００６】
【発明が解決しようとする課題】
しかしながら、上記特許文献１に記載のスポーツウェアにおいて、ズボンやサロペットズボンでは、脚部に沿って少なくとも１個所とウエスト部の周囲との長手方向に連続して設けたり、またはズボンと上衣部とを連続して設けたつなぎ衣服の上衣部の袖部に設けたトンネル布部内に牽引可能に貫通した通し紐は、非伸縮性の通し紐を用いているので、ズボン等を着用した場合に、特に膝や足の付け根の関節部において、また上衣部を着用した場合に、袖部での肘や肩の関節部分の伸縮性に欠けるため、運動性を損ない、違和感を覚えることもあった。
【０００７】
また、上記特許文献２に記載のスカートは、なお、ウエスト部に設けた通し穴内に非伸縮性の紐またはベルトと、伸縮性を有するゴム紐とよりなる通し紐を挿通したものであり、通し紐を外部に引き出し操作することによりスカートのウエスト部における身幅方向の長さを被着者のウエストの寸法に合わせて調整し、スカートがウエスト部からずり落ちるのを防止するためのものであって、衣服自体の膝や足の付け根、また袖部での肘や肩等の関節部において伸縮性を発揮させ、運動を円滑に行うというものではない。
【０００８】
本発明は上記従来の欠点を解決し、ウェア本体を着用した場合に、膝や足の付け根、また肘や肩等の関節部の伸縮性が優れ、運動性が向上されて機能的になり、また、着用した場合に、違和感がなく、着心地が良好に装用でき、また、簡単な構造で縫製、製作も容易であり、製作コストが安価な伸縮調整機能付き衣服を提供しようとするものである。
【０００９】
【課題を解決するための手段】
また、本発明の請求項１に記載の発明は、ズボンの脚部または／および上衣の袖部の少なくとも一側面に長手方向に沿って形成されたトンネル布部と、該トンネル布部内を貫通して一端がトンネル布部内に固定される共に他端がトンネル布部から牽引可能に引き出された通し紐とを備え、前記通し紐の引き出し長さを調整することにより脚部の裾丈または／および袖部の袖丈を伸縮調整し得るようにした伸縮機能付き衣服において、前記通し紐は非伸縮性の紐状部と該紐状部に連設された伸縮性の伸縮紐部とにより形成され、該伸縮紐部が膝部または／および肘部等の関節部に位置するように配置されていることを特徴とするという手段を採用した。
【００１０】
また、本発明の請求項２に記載の発明は、請求項１において、前記衣服がズボンであり、伸縮紐部が膝等の関節部に位置していることを特徴とするという手段を採用した。
【００１１】
また、本発明の請求項３に記載の発明は、請求項１または請求項２の何れかにおいて、前記衣服がズボンと上衣を連結したつなぎ服であり、上衣部は、前記通し紐の伸縮紐部が、肘または／および肩等の関節部に伸縮自在に配置されることを特徴とするという手段を採用した。
【００１２】
【発明の実施の形態】
以下、図面に従って本発明の実施の形態の具体例を説明する。
図１は本発明の伸縮調整機能付き衣服の第１実施形態を示す正面図、図２は同じく背面図、図３は本実施形態のトンネル布部内に通し紐を挿通した状態の正面図、図４は同じくウエスト部から通し紐を外部に出した状態の拡大正面図、図５は通し紐を外部に引き出してトンネル布部を縮めた状態の拡大正面図、図６は本実施形態で使用する通し紐の一例を示す部分切欠正面図である。
１はウェア本体であり、このウェア本体１は本実施形態では伸縮調整機能付き衣服として例えばスキー用のズボン２に形成されるが、ズボン２の全体形状は図示するものに限らず、種々のデザインのものがある。
【００１３】
３Ａは伸縮調整機能付き衣服として本実施形態のズボン２の左右の脚部の裾丈を伸縮調整する伸縮調整手段Ｓを構成するように、例えば左右の脚部の前身頃Ｆ側の前部の膝Ｎ１付近に長手方向に沿って設けられたトンネル布部であり、３Ｂは左右の脚部の後身頃Ｂ側の後部の同様な位置に設けられたトンネル布部である。３Ｃはウエスト部Ｗに設けられたトンネル布部である。
【００１４】
４，４′はこれらの脚部のトンネル布部３Ａ，３Ｂと、ウエスト部Ｗのトンネル布部３Ｃ，３Ｃとの両方に貫通して設けられた通し紐である。また、脚部のトンネル布部３Ａ，３Ｂと、ウエスト部Ｗのトンネル布部３Ｃ，３Ｃとの連絡位置には、例えば合成樹脂製のローラ等の支点部材５を設けることによって通し紐４，４′に対する摩擦を少なくして通し紐４，４′の外部への引出し操作を円滑に行うようにしている。
【００１５】
前記トンネル布部の構造は、図３にその展開状態を示すように、ズボン２の脚部の長短とウエスト部Ｗの太さとを被着者の体格のサイズに合わせて伸縮調整するものであり、脚部の前部に脚部に長手方向に沿って設けられるトンネル布部３Ａとウエスト部Ｗのトンネル布部３Ｃとがそれぞれ略直角に連絡している。又、脚部の後部に設けられるトンネル布部３Ｂも同様にトンネル布部３Ｂとウエスト部Ｗのトンネル布部３Ｃとがそれぞれ略直角に連絡している。
【００１６】
前記通し紐４は、非伸縮性の紐状部４Ａと、該紐状部４Ａに連設される伸縮性を有する伸縮紐部４Ｂとにより形成される。そして、通し紐４，４′は、前述のように、脚のトンネル布部３Ａ，３Ｂと、ウエスト部Ｗのトンネル布部３Ｃ，３Ｃとに貫通され、一端がトンネル布部３Ａ，３Ｂ内にそれぞれ固定され、他端がトンネル布部３Ｃ，３Ｃから牽引可能に外部に引き出される。このうち、ズボン２の前身頃Ｆに脚部の長手方向に沿って設けられたトンネル布部３Ａ内に配索される通し紐４の伸縮紐部４Ｂは、図示する実施形態では例えばズボン２の膝Ｎ１および足の付け根Ｎ２等の関節部Ｋに位置して伸縮するように配置されることによりスキー等の運動を行う場合に、運動に伴う屈伸に対して運動性を充分に発揮し、機能的になり、また、違和感がなく、着心地が良好に装用する。
【００１７】
また、ズボン２の脚部に長手方向に沿って後身頃Ｂに設けたトンネル布部３Ｂ内には、前述のように、ズボン２の前身頃Ｆにおいて左右の脚部に長手方向に沿って設けられたトンネル布部３Ａ内に配索される非伸縮性の紐状部４Ａと、伸縮性の伸縮紐部４Ｂとよりなる通し紐４とは異なり、本実施形態では非伸縮性の部材よりなる通し紐４′が配索されることにより伸縮調整手段Ｓの通し紐４を牽引操作するのと協同してズボン２の左右の脚部の裾丈を伸縮調整するのに役立つ。
【００１８】
このように、非伸縮性の紐状部４Ａと、伸縮性の伸縮紐部４Ｂとよりなる通し紐４をズボン２の前身頃Ｆに左右の脚部に長手方向に沿って設けたトンネル布部３Ａ，３Ｃ内に配索するようにし、後身頃Ｂに設けるトンネル布部３Ｂ，３Ｃ内には非伸縮性の通し紐４′を配索するようにしたのは、脚部の前部に臨まれる膝Ｎ１および足の付け根Ｎ２等の関節部Ｋ，Ｋの屈伸度が脚部の後部に比較して大きいのに対応させるようにしたからである。
前記伸縮紐部４Ｂは、例えばゴム紐やゴム入り紐が伸縮性を発揮するために最適に使用される。
【００１９】
本発明の第１実施形態は以上の構成からなり、ズボン２の左右の脚部に長手方向に沿って前身頃Ｆにおいては膝Ｎ１付近に少なくとも１個所設けられ、また、ズボン２の後面の後身頃Ｂに対応して設けられたトンネル布部３Ａ，３Ａ；３Ｂ，３Ｂと、ウエスト部Ｗの周囲にトンネル布部３Ａ，３Ａ；３Ｂ，３Ｂに連続して設けられたトンネル布部３Ｃ，３Ｃとには、それぞれ内部に通し紐４，４；４′，４′が貫通して配索され、しかも、これらの通し紐４，４；４′，４′は、一端がトンネル布部３Ａ，３Ａ；３Ｂ，３Ｂ内に固定され、他端がトンネル布部３Ｃ，３Ｃから牽引可能に外部に引き出されているので、これらの通し紐４，４；４′，４′をトンネル布部３Ａ，３Ａ；３Ｂ，３Ｂ；３Ｃ，３Ｃに対して所望長さ引き出したり、または挿入することにより引き出し長さを加減すると、ズボン２の左右の脚部の裾丈は同一サイズであったとしても、被着者の体形に合わせて伸縮調整されるため、被着者の体形に合った大きさのズボン２を装用することができる。
【００２０】
また、ズボン２の装用後は、ズボン２の左右の脚部に沿って前身頃Ｆ側では膝Ｎ１付近に少なくとも１個所設けられたトンネル布部３Ａ，３Ａと、ウエスト部Ｗの周囲とに連続して設けたトンネル布部３Ｃ，３Ｃ内に貫通された通し紐４は、伸縮紐部４Ｂが、例えばズボン２の膝Ｎ１および足の付け根Ｎ２等の関節部Ｋ，Ｋ（図示する実施形態では膝Ｎ１のみに伸縮紐部４Ｂが配置されている）に位置して伸縮自在に配置されるので、スキー等の運動を行う場合に、膝Ｎ１、足の付け根Ｎ２等の関節部Ｋ，Ｋは、伸縮性に優れ、運動性が向上され、機能的になるとともにズボン２は違和感がなく、着心地が良好に装用することができる。
【００２１】
図７および図８に示すものは本発明の第２実施形態であり、この実施形態では、ズボン２のウエスト部Ｗの前面および後面にサスペンダー２１の前端および後端を、例えば連結用の尾錠環２２と、該尾錠環２２内に挿入され一端には係止部品２３を設けたループ状の連結片２４とを介して着脱可能に取付けたサロペットズボン２０に適用したものである。そして、被着者の肩にサスペンダー２１をかけて被着者の身長に合わせてズボン２の装用位置を調整するようにしたほかは前記第１実施形態と同様の構成、作用である。
なお、本実施形態に用いられる係止部品２３は、例えば図示するように雄状係止鉤群と、該雄状係止鉤群が係脱可能に係合される雌状係止鉤群とよりなる面ファスナーとしてのベルクロファスナー、ボタンと該ボタンが係脱可能に係止されるボタン穴、さらには雄雌のスナップなどが挙げられる。
【００２２】
また、図９に示すものは本発明の第３実施形態であり、この実施形態ではズボン２に上衣部３１を連続して設けたつなぎ服３０に適用したものである。
そして、このつなぎ服３０は、通し紐４の伸縮紐部４Ｂが、上衣部３１の左右の袖部３２，３２に長手方向に沿って設けたトンネル布部３Ｄ，３Ｄ内に配索される通し紐４の伸縮紐部４Ｂが、肘Ｎ３および／または肩Ｎ４等の関節部Ｋ，Ｋに位置して伸縮するように配置されることにより、通し紐４を外部に牽引操作することにより左右の袖部３２，３２の袖丈を伸縮調整して被着者の体格に合わせて上衣部３１を装用するようにしたほか、装用後に、上衣部３１の袖部３２，３２の肘Ｎ３や肩Ｎ４等の関節部Ｋ，Ｋを屈伸する場合に、上衣部３１の袖部３２，３２の肘Ｎ３や肩Ｎ４等の関節部Ｋ，Ｋの伸縮性が優れ、運動性が向上されて機能的になり、また、違和感がなく、着心地が良好に装用できるほかは前記各実施形態と同様の構成、作用を奏する。
【００２３】
上記図１ないし図６に示す第１実施形態のズボン２および図７および図８に示す第２実施形態のサロペットズボン２０では、ズボン２の左右の脚部の長手方向に沿って設けたトンネル布部３Ａ，３Ａと、このトンネル布部３Ａ，３Ａと直角にウエスト部Ｗにはトンネル布部３Ｃ，３Ｃを連続して設け、しかもこれらのトンネル布部３Ａ，３Ｃ；３Ａ，３Ｃ内に１本の通し紐４を配索し、また、第３実施形態のつなぎ服３０の上衣部３１では左右の袖部３２，３２の長手方向に沿って設けたトンネル布部３Ｄ，３Ｄ内に、非伸縮性の紐状部４Ａ，４Ａと、該紐状部４Ａ，４Ａに連設される伸縮性を有する伸縮紐部４Ｂ，４Ｂとにより形成される１本づつの通し紐４，４を配索したことにより、ズボン２またはサロペットズボン２０の膝Ｎ１または／および足の付け根Ｎ２、或いは上衣部３１の肘Ｎ３および肩Ｎ４等の関節部Ｋに位置して伸縮紐部４Ｂ，４Ｂを伸縮自在に配置させ、関節部Ｋの運動性をはかるようにしているが、トンネル布部３Ａ，３Ｂ；３Ｃ；３Ｄの設置個数と、トンネル布部３Ａ；３Ｃ；３Ｄ内に配索される通し紐４の設置本数は、図示する実施形態に示すように左右の脚部ないしは袖部３２に１本づつ設置するのに限ることなく、増減変更は自由に選択が行える。
また、通し紐４の幅、非伸縮性の紐状部４Ａに対する伸縮性を有する伸縮紐部４Ｂの関節部Ｋに配置される設置個数、また、伸縮紐部４Ｂの設置幅や設置長さ等は、例えば被着者の体格の大小、また、肥満であるか、痩身であるか、また、子供であるか、大人であるかなどのさまざまな要因を考慮して関節部Ｋの伸縮量に応じて伸縮力の強弱を適当なものを選択する。
【００２４】
【発明の効果】
本発明の請求項１に記載の発明は以上のように、ズボンの脚部または／および上衣の袖部の少なくとも一側面に長手方向に沿って形成されたトンネル布部と、該トンネル布部内を貫通して一端がトンネル布部内に固定される共に他端がトンネル布部から牽引可能に引き出された通し紐とを備え、前記通し紐の引き出し長さを調整することにより脚部の裾丈または／および袖部の袖丈を伸縮調整し得るようにした伸縮機能付き衣服において、前記通し紐は非伸縮性の紐状部と該紐状部に連設された伸縮性の伸縮紐部とにより形成され、該伸縮紐部が膝部または／および肘部等の関節部に位置するように配置されていることを特徴とするので、ズボン等のウエア本体を着用した場合に、例えば膝や足の付け根、また肘や肩等の関節部の伸縮性に優れ、運動性が向上されて機能的になり、また、ウェアを違和感がなく、着心地が良好に装用でき、しかも、簡単な構造なので、縫製、製作が容易になり、さらには、製作コストは安価になる。
【００２５】
また、本発明の請求項２に記載の発明は、請求項１において、前記衣服がズボンであり、伸縮紐部が膝等の関節部に位置していることを特徴とするので、膝や足の付け根等の関節部を屈伸する場合に、伸縮性に優れるため、運動性が向上され、機能的になり、また、違和感がなく、着心地が良好に装用できる。
【００２６】
また、本発明の請求項３に記載の発明は、請求項１または請求項２の何れかにおいて、前記衣服がズボンと上衣を連結したつなぎ服であり、上衣部は、前記通し紐の伸縮紐部が、肘または／および肩等の関節部に伸縮自在に配置されることを特徴とするので、肘や肩等の関節部を屈伸する場合に、伸縮性に優れ、運動性が向上されて機能的になり、違和感がなく、着心地が良好に装用できる。
【図面の簡単な説明】
【図１】図１は本発明の伸縮調整機能付き衣服の第１実施形態を示す正面図である。
【図２】図２は同じく背面図である。
【図３】図３は本実施形態のトンネル布部内に通し紐を挿通した状態の正面図である。
【図４】図４は同じくウエスト部から通し紐を外部に出した状態の拡大正面図である。
【図５】図５は通し紐を外部に引き出してトンネル布部を縮めた状態の拡大正面図である。
【図６】図６は本実施形態で使用する通し紐の一例を示す部分切欠正面図である。
【図７】本発明をサロペットズボンに適用した第２実施形態を示す正面図である。
【図８】同じく背面図である。
【図９】本発明をつなぎ服に適用した第３実施形態を示す斜視図である。
【符号の説明】
１　　ウェア本体
２　　ズボン
３Ａ　トンネル布部
３Ｂ　トンネル布部
３Ｃ　トンネル布部
３Ｄ　トンネル布部
４　　通し紐
４Ａ　紐状部
４Ｂ　伸縮紐部
４′　通し紐
２０　サロペットズボン
３０　つなぎ服
３１　上衣部
３２　袖部
【図１】
2004143648.tif 000003
【図２】
2004143648.tif 000004
【図３】
2004143648.tif 000005
【図４】
2004143648.tif 000006
【図５】
2004143648.tif 000007
【図６】
2004143648.tif 000008
【図７】
2004143648.tif 000009
【図８】
2004143648.tif 000010
【図９】
2004143648.tif 000011